(57)【要約】      （修正有）【課題】複数の種類の香水を任意の時間間隔で自動的にスプレーする自動芳香スプレー装置を提供する。【解決手段】機体内に設置した支持台１上にスプレーヘッド２１を備え、異なる種類の香水を詰めた瓶体２を配置し、瓶体上方にスプレーヘッドに対応する吹出部１３１、チューブ１４、機体外に香水を放出するスプレー出口Ａ１を設けた固定板１３を配置する。第一伝動機構３によって支持台を回転させて所定の瓶体のスプレーヘッドを吹き出し部１３１の位置に配置し、支持台下の第二伝動機構４によって支持台４の開口１２を介して瓶体を押し上げてスプレーヘッドから香水をスプレーする。制御回路５は、第一及び第二伝導機構の作動時刻、時間間隔を制御する。【選択図】図２
0003184463.tif 000002
【実用新案登録請求の範囲】
【請求項１】
外殻を構成する機体内に、垂直な軸廻りに回転する支持台を設置し、
該軸を囲む円周上に複数の開口を設けると共に該開口上にスプレーヘッドを備え、それぞれ異なる香りの香水を詰めた複数の瓶体を配置し、
該瓶体上方に、上記機体外に香水を放出する機体のスプレー出口に導通する吹出部をスプレーヘッドに対応して設けた固定板を配置し、
上記支持台を上記軸の周りに回転駆動する第一伝動機構を配置すると共に、支持台下方には第二伝動機構を設置し、
該第二伝動機構は偏心ギアによって昇降動作する制動桿を配置し、該制動桿一端に上記支持台の開孔に対応して位置して昇降する最上桿を枢設し、
更に、第一伝動機構及び第二伝動機構の動作を制御する制御回路を設けて、
該制御回路により設定した時間に基いて、第一伝動機構を駆動せしめて支持台を一定角度回転してそれぞれ異なる瓶体を第二伝動機構の最上桿に対応させ、第二伝動機構によって該最上桿を上方に駆動して上記支持台の開口を介して所定の瓶体を上昇させてそのスプレーヘッドを上記吹き出し部に向けて押圧せしめてスプレーするようにしたことを特徴とする自動芳香スプレー装置。
【請求項２】
前記第一伝動機構は、モーター及びギア組から構成され、支持台の底部にギアを設置し、ギアを第一伝動機構で噛み合わせ、第一伝動機構によって支持台を回転駆動することを特徴とする請求項１記載の自動芳香スプレー装置。
【請求項３】
前記第二伝動機構の制動桿は、他端にバネを連接し、バネの他端を機体に固定することにより、偏心ギアが復位すると、バネの張力によって最上桿を下向きに支持台の開孔下方に復帰することを特徴とする請求項１記載の自動芳香スプレー装置。
【請求項４】
前記制御回路は、複数のＬＥＤ及び設定キーに接続し、ＬＥＤ及び設定キーを機体の表面から露出して、該設定キーによりスプレー間隔時間及び香水の種類を設定することを特徴とする請求項１記載の自動芳香スプレー装置。
【請求項５】
前記制御回路は、ＬＣＤディスプレイに接続し、ＬＣＤディスプレイを機体の表面から露出して、スプレイ作動する時間を表示することを特徴とする請求項１記載の自動芳香スプレー装置。
【考案の詳細な説明】
【技術分野】
【０００１】
本考案は、自動芳香スプレー装置に関するもので、特に異なる香りの香水を異なる時間に外へスプレーし、周囲環境に芳香効果を達成する自動芳香スプレー装置に係る。
【背景技術】
【０００２】
一般に家庭もしくは公共の場では、周囲環境の臭いを消し、芳香効果をもたせるのに、通常スプレー剤を使用し、各種香水をスプレーする。公知のスプレー装置は、芳香剤を定時に噴射する自動式、もしくは手でプッシュする手動式がある。
【先行技術文献】
【特許文献】
【０００３】
【特許文献１】特開２０００−３５０９５１号公報
【考案の概要】
【考案が解決しようとする課題】
【０００４】
解決しようとする問題点は、定時に噴射する自動式、もしくは手でプッシュする手動式であっても、その香りは単一であるため、変化がなく、芳香効果は単調であり、長時間使用すると、飽きてしまう点である。
【０００５】
そこで、本考案者は長年、当領域業に従事してきたことから、自動芳香スプレー装置を設計し、スプレー装置に異なる香りで構成してスプレーする自動芳香スプレー装置を提案する。
【課題を解決するための手段】
【０００６】
本考案は、外殻を構成する機体内に、垂直な軸廻りに回転する支持台を設置し、
該軸を囲む円周上に複数の開口を設けると共に該開口上にスプレーヘッドを備え、それぞれ異なる香りの香水を詰めた複数の瓶体を配置し、
該瓶体上方に、上記機体外に香水を放出する機体のスプレー出口に導通する吹出部をスプレーヘッドに対応して設けた固定板を配置し、
上記支持台を上記軸の周りに回転駆動する第一伝動機構を配置すると共に、支持台下方には第二伝動機構を設置し、
該第二伝動機構は偏心ギアによって昇降動作する制動桿を配置し、該制動桿一端に上記支持台の開孔に対応して位置して昇降する最上桿を枢設し、
更に、第一伝動機構及び第二伝動機構の動作を制御する制御回路を設けて、
該制御回路により設定した時間に基いて、第一伝動機構を駆動せしめて支持台を一定角度回転してそれぞれ異なる瓶体を第二伝動機構の最上桿に対応させ、第二伝動機構によって該最上桿を上方に駆動して上記支持台の開口を介して所定の瓶体を上昇させてそのスプレーヘッドを上記吹き出し部に向けて押圧せしめてスプレーするようにしたことを最も主要な特徴とする。
【考案の効果】
【０００７】
本考案の自動芳香スプレー装置は、異なる時間に外へ向かって異なる香りの香水をスプレーし、各種の芳香効果を達成するという利点がある。
【図面の簡単な説明】
【０００８】
【図１】本考案の立体図である。
【図２】本考案の構造図である。
【図３】本考案の別の構造図である。
【図４】本考案の瓶体を交換する動作実施例図である。
【図５】本考案のスプレー動作実施例図である。
【考案を実施するための形態】
【０００９】
スプレー装置によって、異なる時間に外へ向かって異なる香りの香水をスプレーし、各種の芳香効果を達成する自動芳香スプレー装置を提供することを本考案の主な目的とする。
【００１０】
前述の自動芳香スプレー装置は、機体を設置し、該機体内には支持台を設置し、そこにスプレーヘッドを備え、且つ異なる香りの香水を詰めた複数の瓶体を置き、支持台を於第一伝動機構で噛み合わせ、支持台の底部は瓶体に対応する開孔を設置する。更に第二伝動機構が動かす最上桿によって最上桿を支持台の開孔に対応させる。制御回路によって設定した時間に第一伝動機構を駆動し、支持台を一角度回転して異なる瓶体を第二伝動機構の最上桿に対応させ、最上桿によって瓶体を上向きに持ち上げ、スプレーヘッドに対して押し、異なる香りの香水を異なる時間に外向きにスプレーし、周囲環境の芳香効果を達成する。
【実施例】
【００１１】
図１及び図２及び図３に示すのは、本考案の立体図及び構造図である。図に示すとおり、本考案は、機体Ａを設置し、該機体Ａは出口Ａ１を設け、機体Ａ内には支持台１を設置して、そこにスプレーヘッド２１を備えてそれぞれ異なる香りの香水を詰めた複数の瓶体２を配置する。
該支持台１底部には、ギア１１を設置し、ギア１１はモーター及びギア組３１から構成された第一伝動機構３を噛み合わせて設置し、該支持台１の底部は各瓶体２に対応する開孔１２を設置する。支持台１上方には、固定板１３を設置し、固定板に１３には吹出部１３１を設置し、吹出部１３はチューブ１４で出口Ａ１に連接する。
【００１２】
支持台１の下方には第二伝動機構４を設置し、該第二伝動機構４はモーター及び偏心ギア４１によって構成される。偏心ギア４１が制動桿４２を押さえ、制動桿４２一端は最上桿４３に枢設し、最上桿４３を支持台１の開孔１２に対応させる。制動桿４３の他端にバネ４４を連接すると共にバネ４４の他端を機体Ａに固定する。制御回路５は、第一伝動機構３及び第二伝動機構４に接続され、複数のＬＥＤ５１、５１Ａ及び設定キー５２、５２Ａ及び時間を表示するＬＣＤディスプレイ５３に接続され、ＬＥＤ５１、５１Ａ及び設定キー５２、５２Ａ及びＬＣＤディスプレイ５３を機体Ａの表面に露出させる。
設定キー５２、５２Ａによってスプレー動作時間及び香水種別を設定してＬＥＤ５１、５１Ａに表示し、電源はスイッチ５４で制御する。
【００１３】
上述部品の組み立てることにより、自動芳香スプレー装置が構成される。設定キー５２によって香水の種類を設定してＬＥＤ５１に表示し、設定キー５２Ａによってスプレー間隔時間を設定してＬＥＤ５１Ａ（例として5、10、30、60分間）に表示し、制御回路５によって設定された時間に基づき、第一伝動機構３を起動し、支持台１を一定角度回転させ、順次異なる瓶体２を第二伝動機構４の最上桿４３に対応させる。第二伝動機構４によって、最上桿４３が瓶体２を上向きに持ち上げ、スプレーヘッド２１に対して押すことにより、異なる香りの香水を異なる時間に吹出部１３からチューブ１４を経て機体Ａの出口Ａ１から外向きにスプレーし、周囲環境の芳香効果を達成する。
【００１４】
図４は、本考案の瓶体回転動作実施例図である。図１及び図２にも説明するとおり、本考案を使用する時、支持台１に異なる香りの香水の瓶体２（例としてバラ、蘭花等）を配置し、設定キー５２、５２Ａで香水種類及びそれぞれのスプレー時間を設定し、ＬＥＤ５１、５１Ａで表示する。制御回路５で支持台１の回転及びスプレー間隔時間（例として：毎日一回転，毎日午前午後各一回スプレーする等）を設定する。制御回路５によって設定時間に基づき第一伝動機構３が動き、ギア１１によって支持台１が一定角度回転し、異なる瓶体２を第二伝動機構４の最上桿４３に対応させ、最上桿４３が瓶体２を上向きに持ちあげて推す。
【００１５】
図５は、本考案のスプレー動作実施例図である。図１及び図２に示すとおり、本考案は制御回路５により設定の時間に基づき、第一伝動機構３を駆動し、ギア１１で支持台１を一定角度回転すると、異なる瓶体２が第二伝動機構４の最上桿４３に対応する位置に来る。その時、制御回路５は第二伝動機構４を駆動して偏心ギア４１を回転し、制動桿４２を押し下げて制動桿４２の最上桿４３側が上向きに持ち上がり、相対する制動桿４２一端に枢設した最上桿４３が上向きに滑動する。  支持台１の開孔１２に瓶体２を支え、先端のスプレーヘッド２１が推されて、異なる香りの香水が異なる時間に吹出部１３１からチューブ１４を経て機体Ａの出口Ａ１から外向きにスプレーし、周囲環境の芳香効果を達成する。更に、スプレーした香り種類は機体Ａ表面のＬＥＤ５１に表示される。偏心ギア４１が復位すると、制動桿４２の他端に連接したバネ４４の張力によって、最上桿４３を下向きに支持台１開孔１２下方に定位して次のスプレー動作を待機する。
当然、使用者は設定キー５２、５２ＡによってＬＥＤ５１、５１Ａに表示される香水の種類を直接選択して異なる香りの香水のスプレー動作を行うか、別のタイプの動作態様を構成する。  
【００１６】
前述実施例は、本考案の好適な実施例を説明したものであって、本考案の範囲を制限するものではなく、これらに基づく修飾、変更は本考案に含まれる。
【００１７】
上述のとおり、本考案は回転する支持台によって、支持台下方に設置した最上桿によって、自動芳香スプレー装置が構成され、スプレー装置は異なる時間に異なる香りの香水を外向きにスプレーする。
【符号の説明】
【００１８】
１        支持台
１１        ギア
１２        開孔
１３        固定板
１３１        吹出部
１４        チューブ
２        瓶体
２１        スプレーヘッド
３        第一伝動機構
３１        ギア組
４        第二伝動機構
４１        偏心ギア
４２        制動桿
４３        最上桿
４４        バネ
５        制御回路
５１        ＬＥＤ
５１Ａ      ＬＥＤ
５２        設定キー
５２Ａ      設定キーボード
５３        ＬＣＤディスプレイ
Ａ        機体
Ａ１        出口
【図１】
0003184463.tif 000003
【図２】
0003184463.tif 000004
【図３】
0003184463.tif 000005
【図４】
0003184463.tif 000006
【図５】
0003184463.tif 000007